(57)【要約】【課題】  長期に亘って信頼性の高い防火性を備える防火区画用充填材を提供する点にある。【解決手段】  躯体Ｂに形成された挿通孔Ｂ１内面と、この挿通孔Ｂ１に挿通される長尺挿通体Ｃの外面との隙間に充填される防火区画用充填材Ａであって、  ロックウール又はグラスウールからなる綿塊状の不燃性ブロック１の少なくとも両面に、熱膨張性耐火材を備えた弾性変形自在な熱膨張性耐火材シート２を設け、これら不燃性ブロック１と熱膨張性耐火材シート２を一まとまり状態に拘束する拘束手段３を設けてある防火区画用充填材。【選択図】        図５
2007195365.tif 000002
【特許請求の範囲】
【請求項１】
躯体に形成された挿通孔内面と、この挿通孔に挿通される長尺挿通体の外面との隙間に充填される防火区画用充填材であって、
ロックウール又はグラスウールからなる綿塊状の不燃性ブロックの少なくとも両面に、熱膨張性耐火材を備えたフエルト状の熱膨張性耐火材シートを設け、これら不燃性ブロックと熱膨張性耐火材シートを一まとまり状態に拘束する拘束手段を設けてある防火区画用充填材。
【請求項２】
前記熱膨張性耐火材シートが、挿通孔の開口側の端面を残して不燃ブロックの側面に設けられている請求項１記載の防火区画用充填材。
【請求項３】
前記不燃性ブロックの充填方向の長さが、挿通孔の貫通長さと同一又は略同一の寸法に形成されている請求項１又は2記載の防火区画用充填材。
【請求項４】
前記熱膨張性耐火シートが、ロックウールに粉粒体状の熱膨張材を混入して構成されている請求項１〜3のいずれか１項に記載の防火区画用充填材。
【請求項５】
前記拘束手段が、可燃性素材から構成されている請求項１〜4のいずれか１項に記載の防火区画用充填材。
【請求項６】
前記拘束手段が、不燃性ブロック及び熱膨張性耐火材シートを包装可能な袋体から構成されている請求項１〜5のいずれか１項に記載の防火区画用充填材。
【請求項７】
ロックウール又はグラスウールからなるフエルト状の不燃性ブロックと、これの少なくとも充填時に長尺挿通体側に向く側面とそれとは反対側の側面に配置される熱膨張性耐火材を備えた熱膨張性耐火材シートとを拘束手段で一まとまり状態に拘束してなる防火区画用充填材を、熱膨張性耐火材シート側を長尺挿通体に向けた状態で充填する防火区画用充填材の充填方法。
【請求項８】
前記挿通孔の内面と長尺挿通体との間に形成される隙間に前記防火区画用充填材を充填したのち、残りの隙間に柔軟性を有する補填用熱膨張性耐火材シートを充填する請求項7記載の防火区画用充填材の充填方法。
【発明の詳細な説明】
【技術分野】
【０００１】
本発明は、躯体に形成された挿通孔内面と、この挿通孔に挿通される長尺挿通体の外面との隙間に充填される防火区画用充填材に関する。
【背景技術】
【０００２】
従来、この種の防火区画用充填材は、耐火性素材を含むパテ状のものが主に使用されているが、パテ状のものでは粘土性の素材性質があるため、充填部分を隙間無く充填するためには作業時間がかかる問題がある。
そのため、近時、セラミックファイバブランケットといった耐火材質のブロック体に、ブチルゴム等のベース樹脂にグラファイト等の熱膨張材料を混練したパテ状の軟質熱膨張性耐火材シートを片面に積層して、この積層体を袋体に包んだ挿通孔用の防火区画用充填材が開発されており、躯体に形成された挿通孔とこれに挿通される長尺挿通体との間の隙間に多数を詰め込み状態に充填することによって、隙間を閉塞可能なものが開発されている（例えば、特許文献１を参照）。
【０００３】
【特許文献１】特開平２００２−２４７７３５号公報（第３-４頁、図１、図２）
【発明の開示】
【発明が解決しようとする課題】
【０００４】
このような防火区画用充填材においては、長尺挿通体（樹脂管や被覆ケーブル）の火災による焼失や溶融等による体積減少に、軟質熱膨張性耐火材シートの熱膨張が対応して、挿通孔の閉塞状態を維持して火災の延焼を遅延化するのが望ましい。
そのため、挿通孔内を隙間無く充填するのが望ましいが、従来のものにおいては、セラミックファイバブランケットにパテ状の熱膨張性耐火材シートを積層したものであるので、例えば、熱膨張性耐火材シートの下にセラミックファイバブランケットが垂直配置されている場合等、長期の使用等において、熱膨張性耐火材シートは重く変形しやすいので、セラミックファイバブランケットの変形しやすい部分に自重で変形して沈み込み、その結果、防火区画用充填材の全体体積が減少して、挿通孔が連通するような隙間を生じたりすることによって、火災時初期の火災煙の遮断性や、火災時に期待する熱膨張状態を形成することができなかったりする問題がある。
また、熱膨張性耐火材シートとセラミックファイバブランケットが水平配置されている場合では、パテ状でシート体である熱膨張性耐火材シートが縦配置されることになり、このような積層状態では、自重によって変形を生じたりして、積層状態を長期亘って維持するのは難しく、火災時に期待する熱膨張状態を形成することができなかったりする問題がある。
そのため、現実の防火区画用充填材は、パテ状の熱膨張性耐火材シートを薄肉にして軽量化を図って前述の問題を生じないような商品構成にとどまり、パテ状の熱膨張性耐火材シートを厚肉化や多層化して、挿通孔とこれに挿通される長尺挿通体との隙間の防災性の向上を図り難い問題がある。
加えて、パテ状で粘性を有する熱膨張性耐火材シートにおいて、主に不織布等の通気性のある袋体が介在して挿通孔に挿通される長尺挿通体と接触するが、パテ状の熱膨張性耐火材シートは、一般的に有機物であるので、長尺挿通体が合成樹脂管であり高温下で使用する場合、合成樹脂管等に化学的影響を与える問題が指摘されている。
本発明は上記の事情に鑑みてなされたものであり、その目的とするところは、長期に亘って信頼性の高い防火性を備える防火区画用充填材を提供する点にある。
【課題を解決するための手段】
【０００５】
本発明の第１番目の防火区画用充填材の特徴構成は、躯体に形成された挿通孔内面と、この挿通孔に挿通される長尺挿通体の外面との隙間に充填される構成において、ロックウール又はグラスウールからなる綿塊状の不燃性ブロックの少なくとも両面に、熱膨張性耐火材を備えたフエルト状の熱膨張性耐火材シートを設け、これら不燃性ブロックと熱膨張性耐火材シートを一まとまり状態に拘束する拘束手段を設けてある点にある。
【０００６】
上記特徴構成によれば、挿通孔の内面と長尺挿通体との隙間に、熱膨張性耐火材シート側を長尺挿通体に向けた状態で充填することによって、長尺挿通体を熱膨張性耐火材シートが包囲する充填状態を形成することができるとともに、挿通孔の開口側に熱膨張性耐火材シートが存在しない閉塞状態を形成することができる。
そして、万が一に火災の火災熱が挿通孔部分の長尺挿通体に至った場合、挿通孔の開口側よりも隙間内側で熱膨張性耐火材シートが、長尺挿通体を包囲する熱膨張性耐火材シートが長尺挿入体の損失発生部分を補う方向に対応して熱膨張する。
そのことによって、火災が発生した部屋から隣の部屋に火災が至るのを遅延化することができる。
しかも、熱膨張性耐火材シートはフエルト状で軽量であるので、長期の使用等において、例えば、熱膨張性耐火材シートの下に不燃性ブロックが配置されている場合等、不燃性ブロックに変形しやすい部分が存在していても、不燃性ブロックを体積減少させるような変形を生じることがなく、長期に亘って挿通孔とこれに挿通される長尺挿通体との隙間を閉塞状態に維持することができる。具体的には、躯体の壁孔である水平方向に貫通形成された挿通孔とこれに挿通される長尺挿通体との隙間に対する充填が該当する。
また、熱膨張性耐火材シートと不燃性ブロックが水平配置されている場合であっても、熱膨張性耐火材シートに弾性力があり自重の変形を生じにくく、長期に亘って挿通孔とこれに挿通される長尺挿通体と隙間の閉塞状態を維持することができる。具体的には、躯体の床孔である上下方向に貫通形成された挿通孔とこれに挿通される長尺挿通体との隙間に対する充填が該当する。
そのため、不燃性ブロックの少なくとも両面に熱膨張性耐火材シートを設けることが可能となる。
【０００７】
従って、この種、躯体の長尺挿通体が挿通されている挿通孔の閉塞部の防災性の向上を図ること、及び、その閉塞部の防災品質を長期に亘って維持することができる。
尚、不燃性ブロックの少なくとも両面とは、例えば、不燃性ブロックが立方体形状の場合、その一側面とこれの裏側の一側面の２面、又は、コーナー部に対応する一側面とこれと直交する一側面の２面が対応し、不燃性ブロックが楕円柱形状の場合、円周を２分割する半周面が対応する。
【０００８】
本発明の第２番目の防火区画用充填材の特徴構成は、前記熱膨張性耐火材シートが、挿通孔の開口側の端面を残して不燃ブロックの側面に設けられている点にある。
【０００９】
上記特徴構成によれば、挿通孔の長尺挿通体に火災熱が至った場合に、主に隙間内側で熱膨張性耐火材シートが、挿通孔内面と長尺挿通体とを結ぶ方向つまり長尺挿入体の損失発生部分を補う方向に熱膨張する。
【００１０】
従って、開口側にはみ出し状態で熱膨張性耐火シートが設けられた防火区画用充填材に比べて、隙間部分に作用しない熱膨張性耐火材シート部分といった製品材料に無駄がないので、防災品質の向上を図ることができる。
【００１１】
本発明の第３番目の防火区画用充填材の特徴構成として、前記不燃性ブロックの充填方向の長さが、挿通孔の貫通長さと同一又は略同一の寸法に形成されている点にある。
【００１２】
上記特徴構成によれば、万が一の火災に遭遇することがあっても、挿通孔内でのみに熱膨張性耐火材シートを熱膨張して、挿通孔を閉塞状態にすることができる。
【００１３】
従って、挿通孔の長尺挿通体に火災熱が至った場合に、挿通孔内の熱膨張性耐火材シートによって確実に閉塞状態にすることができるので、不燃性ブロックの充填方向の長さが、挿通孔の貫通長さよりも長い場合に比べて、コストの低減化を図りながらも最大の防火性を備える効果を有する。
【００１４】
本発明の第４番目の防火区画用充填材の特徴構成として、前記熱膨張性耐火材シートが、ロックウールに粉粒体状の熱膨張材を混入して構成されている点にある。
【００１５】
上記特徴構成によれば、粉粒体状の熱膨張材よりも安価な素材であるロックウールを用いて、熱膨張性耐火材シートを形成することができる。
【００１６】
従って、全体として防火の信頼性が高く、且つ、安価な防火区画用充填材を構築することができる。
【００１７】
本発明の第５番目の防火区画用充填材の特徴構成として、前記拘束手段が、可燃性素材から構成されている点にある。
【００１８】
上記特徴構成によれば、拘束手段が、例えば、紙材や布材、熱可塑性の合成樹脂材で構成されている場合、火災熱による溶融や燃焼等により、不燃性ブロックと熱膨張性耐火材シートとの拘束状態を解除して、熱膨張性耐火材シートの熱膨張を妨げることがない。
【００１９】
従って、熱膨張性耐火材どの部分に火災熱が加わった場合であっても、熱膨張性耐火材シートの熱膨張が拘束手段によって妨げられることがないので、不燃性の拘束手段を用いた場合に比べて、防火品質の向上を図ることができる。
【００２０】
本発明の第６番目の防火区画用充填材の特徴構成として、前記拘束手段が、不燃性ブロック及び熱膨張性耐火材シートを包装可能な袋体から構成されている点にある。
【００２１】
上記特徴構成によれば、防火区画用充填材の製作時においては、不燃性ブロック及び熱膨張性耐火材シートを袋体に収容する簡単な作業によって、不燃性ブロック及び熱膨張性耐火材シートを一まとまりとする拘束状態にすることができ、一つの集合体として取扱うことができる。
【００２２】
従って、在庫時、運搬時、挿通孔と長尺挿通体との間の隙間に充填する際の取扱い性の向上を図ることができる。
【００２３】
本発明の第７番目の防火区画用充填材の充填方法の特徴構成は、ロックウール又はグラスウールからなるフエルト状の不燃性ブロックと、これの少なくとも充填時に長尺挿通体側に向く側面とそれとは反対側の側面に配置される熱膨張性耐火材を備えた熱膨張性耐火材シートとを拘束手段で一まとまり状態に拘束してなる防火区画用充填材を、熱膨張性耐火材シート側を長尺挿通体に向けた状態で充填する点にある。
【００２４】
上記特徴構成によれば、挿通孔の内面と長尺挿通体との間の隙間に、熱膨張性耐火材シート側を長尺挿通体に向けた状態に充填することによって、挿通孔の開口側に熱膨張性耐火材シートが存在しない閉塞状態にすることができる。
そして、万が一に火災の火災熱が挿通孔部分の長尺挿通体に至った場合、不燃性ブロックの少なくとも長尺挿通体に向く側面とこれとは反対側に熱膨張性耐火材シートを設けてあるので、挿通孔の開口側よりも隙間内側で熱膨張性耐火材シートが熱膨張して、長尺挿通体の火災損失分を補って、火災の延焼を遅延化することができる。
【００２５】
従って、長尺挿通体が挿通された挿通孔に対する防火区画用充填材の充填施工性と、長尺挿通体が挿通された挿通孔の防火区画性の向上を図ることができる。
【００２６】
本発明の第８番目の防火区画用充填材の充填方法の特徴構成は、前記挿通孔の内面と長尺挿通体との間に形成される隙間に前記防火区画用充填材を充填したのち、残りの隙間に柔軟性を有する補填用熱膨張性耐火材シート充填する点にある。
【００２７】
上記特徴構成によれば、挿通孔と長尺挿通体との間の隙間の大きい部分には防火区画用充填材を充填し、この充填で残った隙間部分には熱膨張性耐火材シートを充填することによって、段取り良く確実に充填することができる。
【００２８】
従って、施工性及び挿通孔と長尺挿通体との隙間の閉塞品質の向上を図ることができる。
【発明を実施するための最良の形態】
【００２９】
以下、本発明を適用した防火区画用充填材を図面に基づいて説明する。
【００３０】
〔第１実施形態〕
この第１実施形態においては、図１〜図５に示すように、躯体Ｂの床孔である挿通孔Ｂ１に対して、例えば、架台Ｃ２に多数の空調配管Ｃ１ａを集結させた配管類群Ｃ１から構成された長尺挿通体Ｃが挿通される、挿通孔Ｂ１内面と、この挿通孔Ｂ１に挿通される長尺挿通体Ｃの露出する外面との隙間Ｓに充填される防火区画用充填材Ａについて説明する。ここで、図５に示すように、空調配管Ｃ１ａ同士で挟まれた空間Ｋは、長手方向に沿って外部と略閉じられているので、防火区画用充填材Ａを充填する隙間を構成しない。
【００３１】
また、防火区画用充填材Ａは床孔に充填するため、落ち止めに充填材支持金具Ｄが用いられている。
【００３２】
この充填材支持金具Ｄは、躯体Ｂを貫通する矩形状の挿通孔Ｂ１とこれに挿通された長尺挿通体Ｃとの隙間Ｓに充填される防火用充填材Ａを受止め支持可能にするため、図１、図２に示すように、挿通孔Ｂ１の両端部の形状に対応する平面視コ字状に形成された充填材の受止め部Ｄ１と、この受止め部Ｄ１の外周縁の三箇所から一体的に延出された挿通孔Ｂ１の開口縁部に係止且つネジ止め可能な係止部Ｄ２が形成された掛け止め部Ｄ３とから形成されている。
【００３３】
この実施形態で長尺挿通体Ｃの構成部材である空調配管Ｃ１ａは、空調機の室内機と室外機とを配管する、送り配管、戻り配管、ドレン配管、制御ケーブルからなる配管であり、送りと戻りの両配管は、中心の金属管の周りに合成樹脂からなる断熱層を肉厚に被覆した管構造になっている。ここで、ドレン配管、制御ケーブルは図示していない。
【００３４】
前記長尺挿通体Ｃの構成部材である架台Ｃ２は、図１に示すように、空調配管類の配管経路に沿って設けられるものであり、配管経路に沿って間隔をあけて配管類を担架する桟状の載台Ｃ２ａと、これの両板端に配置された側板Ｃ２ｂとから構成されている。
【００３５】
挿通孔Ｂ１に対して長尺挿通体２は孔中央を挿通し、長尺挿通体Ｃの周りには、挿通孔Ｂ１の内面との間で環状の隙間Ｓが形成されている。
【００３６】
この実施形態の防火区画用充填材Ａとして、図２に示すように、架台Ｃ２の側板Ｃ２ｂとこれに対面する挿通孔Ｂ１の内面との間に、挿通孔Ｂ１の孔全幅部分に着脱自在に充填可能な大きさに形成された第１防火区画用充填材Ａ１と、
この第１防火区画用充填材Ａ１が挿通孔Ｂ１の両端部において、架台Ｃ２の側板Ｃ２ｂとこれに対面する挿通孔Ｂ１の内面との間に充填された状態で、両第１防火区画用充填材Ａ１間に着脱自在に充填可能な第２防火区画用充填材Ａ２と、
この第２防火区画用充填材Ａ２の充填方向に直交する肉厚より肉薄で、第２防火区画用充填材Ａ２の略半分程度の長さに形成され、前記第１防火区画用充填材Ａ１が挿通孔Ｂ１の両端部において架台Ｃ２の側板Ｃ２ｂとこれに対面する挿通孔Ｂ１の内面との間に充填された状態で、両第１防火区画用充填材Ａ１間部分と配管類Ｃ１と前記第２防火区画用充填材Ａ２とで囲まれた隙間Ｓ部分に着脱自在に充填可能な第３防火区画用充填材Ａ３と、
挿通孔Ｂ１内で長尺挿通体Ｃとの間に形成される残りの細分化された隙間Ｓに、柔軟性を有する少なくとも一枚の補填用熱膨張性耐火材シート４といった、大きさや形態が異なる４種類を備えて構成されている。
【００３７】
第１〜第３防火区画用充填材Ａ１，Ａ２，Ａ３は、挿通孔Ｂ１に対して長尺挿通体Ｃの面積が最少の場合であっても充填に不足がないように、製品時には各複数が用意される製品構成になっている。
【００３８】
ここで、防火区画用充填材Ａである第１〜第３防火区画用充填材Ａ１の充填方向の長さＬ1は、挿通孔Ｂ１の貫通長さＬ２と同一又は略同一の長さに形成され、充填方向と直交する長さＬ３は、挿通孔Ｂ１の内面と架台Ｃ２の側板Ｃ２ｂとの離隔距離Ｌ４と同一又は略同一の長さに形成されている。挿通孔Ｂ１の内面と架台Ｃ２の側板Ｃ２ｂとの離隔距離Ｌ４は、挿通孔Ｂ１の大きさが異なっても同じ距離寸法に規定されている。
【００３９】
前記第１〜第３防火区画用充填材Ａ１，Ａ２，Ａ３は、図２に示すように、長方立方形状に形成された不燃性ブロック1の少なくとも充填時に長尺挿通体Ｃ側に向く側面とそれとは反対側の側面に、熱膨張性耐火材を備えた熱膨張性耐火材シート２を設け、これら不燃性ブロック１と熱膨張性耐火材シート２を一まとまり状態に拘束する袋体からなる拘束手段３を備えて構成されている。
【００４０】
前記不燃性ブロック１は、ロックウール又はグラスウールの短繊維同士を絡ませた綿塊状のものであり、変形、圧縮が容易で凹凸面になじみやすい。
【００４１】
前記不燃性ブロック１には、図６に示すように、不燃性ブロック１の長さに対応する幅を有して長尺な熱膨張性耐火材シート２が２層状態に巻装して設けられている。この状態では、当然に充填時に長尺挿通体Ｃ側に向く側面とそれとは反対側の側面に熱膨張性耐火材シート２が対応位置する。
【００４２】
前記熱膨張性耐火材シート２は、耐火性材料、防音性材料の一例である断熱性を備えたロックウールの短繊維を主体に、火災時に膨張するように熱膨張性材料の一例である未焼成バーミキュライト粉末を含有させてフエルト状に湿式抄造によって構成され、軽量で弾性変形可能な可撓性が備えられている。
【００４３】
また、不燃性ブロック１に熱膨張性耐火材シート２を巻装した状態では、熱膨張性耐火材シート２の弾性力によって不燃性ブロック１が外力を受けることで変形しようとするのを防止するような保護機能を形成し、不燃性ブロック１側が変形して体積減少を生じることがあっても、熱膨張性耐火材シート２自体に弾性力に抗しての変形力が加わらない限り、熱膨張性耐火材シート２の巻装状態は維持されて、第１〜第３防火区画用充填材Ａ１，Ａ２，Ａ３における全体の体積減少を生じることはない。このことは、充填時の熱膨張性耐火材シート２の巻装状態の体積状態を長期に亘って維持して防火閉塞性の担保を可能にしている。
【００４４】
さらに、熱膨張性耐火材シート２は、湿式抄造によって製作の容易性やコスト面で安価となる厚さが約３ｍｍ程度に製作されていながら、弾性変形が容易で凹凸面になじみやすい素材特性を備え、常時においては低温下から高温下においても、低湿度から高湿度においても、そのシート形態が流動化したり崩壊したりすることがない素材安定性を備えている。そのため、熱膨張性耐火材シート２に必要な体積量を確保する肉厚の積層数に巻装することによって容易に確保することが可能な利点を有する。
【００４５】
前記熱膨張性耐火材シート４は、例えば、挿通孔Ｂ１の孔長さＬ２を備えた防火区画用充填材Ａの熱膨張性耐火材シート２と同素材のものが用いられている。
【００４６】
この実施形態においては、拘束手段である袋体３は、熱膨張性耐火材シート２を設けた不燃性ブロック１の体積よりも少し大きな袋容量を備えて、袋内に不燃性ブロック１を容易に収容は可能であるが、袋３内でその不燃性ブロック１の方向を変えたりすることができない拘束状態に袋詰めされている。
【００４７】
また、袋体３は、透光性不織布の内面に防水性材料の一例である透明のポリエチレンフイルムをラムネートして透光性、且つ、防水性を備えさせるとともに、袋形成時の綴じ代同士の重合部分を熱融着して袋状に構成されている。そのため、外部から袋内の状態を簡単に把握することが可能で、どのような状態で熱膨張性耐火材シート２が巻装状態になっているかが使用者に簡単に判別可能になっている。
【００４８】
次に、このような構成の熱膨張性耐火材の充填方法について説明する。
まず、図３、図４に示すように、長尺挿通体Ｃが挿通されている挿通孔Ｂ１の両端部に充填材支持金具Ｄをコンクリートネジｄで固定する。
【００４９】
次に、図２、図４、図７に示すように、挿通孔Ｂ１とこれに挿通される長尺挿通体Ｃとの間に隙間Ｓに対して、ロックウール又はグラスウールからなるフエルト状の不燃性ブロック１と、これの少なくとも充填時に長尺挿通体Ｃ側に向く側面とそれとは反対側の側面に配置される熱膨張性耐火材を備えた熱膨張性耐火材シート２とを袋体３で一まとまり状態に拘束してなる第１〜第３防火区画用充填材Ａ１，Ａ２，Ａ３を、熱膨張性耐火材シート２側を長尺挿通体Ｃに向けた状態で充填する。
【００５０】
具体的には、挿通孔Ｂ１の両端部において、架台Ｃ２の側板Ｃ２ｂとこれに対面する挿通孔Ｂ１の内面との間に、第１防火区画用充填材Ａ１を嵌め込み状態に充填する。
【００５１】
次に、この第１防火区画用充填材Ａ１が、架台Ｃ２の側板Ｃ２ｂとこれに対面する挿通孔Ｂ１の内面との間に充填された状態で、両第１防火区画用充填材Ａ１間部分の孔内面側に第２防火区画用充填材Ａ２を嵌め込み状態に充填する。
【００５２】
次に、第１防火区画用充填材Ａ１と長尺挿通体Ｃと第２防火区画用充填材Ａ２とで囲まれた隙間部分に、第３防火区画用充填材Ａ３を嵌め込み状態に充填する。
【００５３】
次に、前記挿通孔Ｂ１内で長尺挿通体Ｃとの間に形成される残りの細分化された隙間Ｓに、柔軟性を有する単独の熱膨張性耐火材シート４を隙間Ｓの大きさに対応して充填する。具体的には、その隙間Ｓの大きさが小さければ、熱膨張性耐火材シート４をその孔大きさに合わせて切り取って差込状態に充填し、それ以上の大きさであれば、隙間Ｓの大きさに対応して熱膨張性耐火材シート４の一枚又は複数枚の積層状態のものを、隙間形状に変形させて差込状態に充填する。
【００５４】
このような充填方法によれば、大きな隙間Ｓには防火区画用充填材Ａを充填し、細分化された小さな隙間には単独の熱膨張性耐火材シート４を充填することによって、簡単で迅速に挿通孔を閉塞状態にすることができる。
【００５５】
しかも、充填状態の防火区画用充填材Ａは、挿通孔の開口側を向く面に熱膨張性耐火シート２が存在しない閉塞状態を構築することができる。
【００５６】
そのため、挿通孔Ｂ１に充填された防火区画用充填材Ａにおいては、万が一の火災に際して、挿通孔Ｂ１の長尺挿通体Ｃとの間の隙間Ｓに集中的に、熱防膨張性シート２及び補填用熱防膨張性シート４を熱膨張させることができる。
【００５７】
また、挿通孔Ｂ１と長尺挿通体Ｃとの間の隙間Ｓの大きい部分には第１〜第３防火区画用充填材Ａ１，Ａ２，Ａ３を充填し、残りの隙間部分には補填用熱膨張性耐火材シート４を充填することによって、段取り良く確実に閉塞状態に充填することができる。
【００５８】
このような構成であれば、万が一の火災に際して、熱膨張性耐火材シート側を長尺挿通体に向けた状態で充填することによって、長尺挿通体Ｃを熱膨張性耐火材シート２が包囲する充填状態を形成することができるとともに、挿通孔Ｂ１の開口側に熱膨張性耐火材シート２が存在しない閉塞状態を形成することができることによって、火災が生じている部屋側から生じていない部屋側に初期の火災煙が侵入するのを阻止することができる。
【００５９】
そして、火災が生じている部屋側の火災熱が挿通孔部分に至って長尺挿通体Ｃである空調配管群Ｃ１の断熱層が溶融や焼失することによって中心の金属管が露出状態となる。
【００６０】
このような火災状態に対応して、第１〜第３防火区画用充填材Ａ１，Ａ２，Ａ３の対応する袋体３が溶融又は焼失して、火災熱に晒された熱膨張性耐火材シート２部分が熱膨張して挿通孔Ｂ１内で熱膨張することによって、露出部分を閉塞状態に補うことによって、挿通孔Ｂ１を通して隣の部屋へ延焼するのを遅延化することができる。
【００６１】
［第２実施形態］
図９は本発明を適用した第２実施形態を示し、前記第１実施形態と異なる部分について説明し、同様の構成部分には同符号を附してその詳細は省略する。
すなわち、第１実施形態では第１〜第３防火区画用充填材Ａ１，Ａ２，Ａ３における拘束手段３は袋体から構成されていたが、本発明はこれに限らず、不燃性ブロック１と熱膨張性耐火材シート２との積層体を、可燃性の自然素材や合成樹脂材から形成された、紙材、布材、紐材等の結束体３Ａを、例えば、不燃性ブロック１に巻装された熱膨張性耐火材シート２の巻方向に沿った巻着と、これに交差する方向に巻着して、不燃性ブロック１と熱膨張性耐火材シート２とを一まとまり状態に拘束する構成のものであってもよい。
【００６２】
［別実施形態］
１）  上記各実施形態では、長尺挿通体Ｃが挿通された床孔からなる挿通孔Ｂ１に防火区画用充填材Ａを充填する例を説明したが、本発明はこれに限らず、図１０に示すように、長尺挿通体Ｃが挿通される壁孔からなる挿通孔Ｂ２に防火区画用充填材Ａを充填するものであってもよい。
この場合、床孔の場合のように、防火区画用充填材Ａを挿通孔Ｂ１で受止め支持する落ち止め金具Ｄを用いる必要性がない。
尚、この別実施形態において上記各実施形態と同様の構成部分には同符号を附してその詳細は省略する。
【００６３】
２）  上記実施形態では、架台Ｃ２に担架された空調配管群等の配管類群Ｃ１から構成される長尺挿通体Ｃと、これを挿通する挿通孔Ｂ１との隙間Ｓに防火区画用充填材Ａが充填される例を説明したが、本発明はこれに限らず、空調配管群Ｃ１等の配管類群から構成される長尺挿通体Ｃと、これを挿通する挿通孔Ｂ１との隙間Ｓに防火区画用充填材Ａが充填されるものであってもよい。
【００６４】
３）  上記実施形態では、多数の空調配管Ｃ１ａを集結させた配管類群Ｃ１と、これを挿通する大きさの挿通孔Ｂ１との隙間に防火区画用充填材Ａを充填するものについて説明したが、本発明はこれに限らず、一つ又は複数の空調配管Ｃ１ａと、これを挿通する大きさの挿通孔Ｂ１との隙間Ｓに対応する大きさに構成される防火区画用充填材Ａを充填するものであってもよい。
【００６５】
４）  上記実施形態では、防火区画用充填材Ａを構成する第１〜第３防火区画用充填材Ａ１，Ａ２，Ａ３において、不燃性ブロック１に熱膨張性耐火材シート２を充填時に長尺挿通体側に向く側面とそれとは反対側の側面を含む外面を巻装するものについて説明したが、これに限らず、不燃性ブロック１の充填時に長尺挿通体側に向く側面とそれとは反対側の側面にのみに熱膨張性耐火材シート２を設ける構成であっても、不燃性ブロック１の全外面に熱膨張性耐火材シート２を設ける構成であってもよい。
【００６６】
５）  上記実施形態の第１〜第３防火区画用充填材Ａ１，Ａ２，Ａ３では、立方体形状の不燃性ブロック１に熱膨張性耐火材シートを一方向に沿って巻装した例を説明したが、図９（イ）に示すように、不燃性ブロック１の一側面１ａとこれの裏側の一側面１ｂの２面、又は、図９（ロ）に示すように、コーナー部に対応する一側面１ａとこれと直交する一側面１ｃの２面といった、不燃性ブロック１の少なくとも両面に熱膨張性耐火材シート２を設ける構成であってもよい。
【００６７】
この場合、図示しないが、両面のいずれか一方の面側の熱膨張性耐火材シート２を長尺挿通体Ｃに向く状態で、挿通孔Ｂ１とこれに挿通された長尺挿通体Ｃとの隙間に充填することによって、長尺挿通体Ｃの周りの環状の隙間Ｓに沿って、長尺挿通体Ｃを熱膨張性耐火材シート２が包囲する充填状態を形成することができるので、火災時に隙間Ｓ内で有効に熱膨張性耐火材シート２の熱膨張を作用させることができる。
【図面の簡単な説明】
【００６８】
【図１】躯体の挿通孔とこれに挿通された長尺挿通体を示す簡略分解斜視図
【図２】挿通孔と長尺挿通孔との隙間に対する防火区画充填材の間係を示す簡略分解斜視図
【図３】挿通孔と長尺挿通体を示す平断面図
【図４】挿通孔と長尺挿通体と充填材支持金具を示す平断面図
【図５】挿通孔と長尺挿通体と防火区画用充填材を示す平断面図
【図６】不燃性ブロックと熱防膨張性シートの間係を示す断面図
【図７】挿通孔と長尺挿通体と防火区画用充填材を示す縦断面図
【図８】防火区画用充填材を示す簡略斜視図
【図９】（イ）（ロ）は防火区画用充填材の変形例を示す簡略斜視図
【図１０】別実施形態の拘束手段を示す簡略斜視図
【図１１】別実施形態の挿通孔と長尺挿通体と防火区画用充填材を示す平断面図
【符号の説明】
【００６９】
Ａ                防火区画用充填材
Ａ１              第１防火区画用充填材
Ａ２              第２防火区画用充填材
Ａ３              第３防火区画用充填材
Ｂ                躯体
Ｂ１              挿通孔（床孔）
Ｂ２              挿通孔（壁孔）
Ｃ                長尺挿通体
Ｄ                充填材支持金具
Ｓ                隙間
１                不燃性ブロック
２                熱膨張性耐火材シート
３                拘束手段（袋体）
４                補填用防火区画用充填材
【図１】
2007195365.tif 000003
【図２】
2007195365.tif 000004
【図３】
2007195365.tif 000005
【図４】
2007195365.tif 000006
【図５】
2007195365.tif 000007
【図６】
2007195365.tif 000008
【図７】
2007195365.tif 000009
【図８】
2007195365.tif 000010
【図９】
2007195365.tif 000011
【図１０】
2007195365.tif 000012
【図１１】
2007195365.tif 000013